(57)【特許請求の範囲】
【請求項１】
ニップ領域を形成し、転写電圧が印加された転写部により画像が転写された媒体が当該ニップ領域を通過するときに当該媒体に当該画像を定着させる定着部と、
前記定着部の直前に配置されて前記定着部の手前の搬送路を形成する接地された金属板であって、当該搬送路側の面のうち前記ニップ領域側の端からの寸法が決められた長さ以下となる第１領域が当該搬送路に露出した金属板と、
前記金属板の前記面のうち前記第１領域とは異なる第２領域を覆い、且つ、前記金属板よりも導電率が低い低導電部材であって、前記ニップ領域側の端に前記金属板からの高さが当該ニップ領域に近づくほど低くなるテーパーを有する低導電部材と
を備える定着ユニット。
【請求項２】
前記テーパーは、前記媒体の幅方向の位置によってテーパー角が変化する
請求項１に記載の定着ユニット。
【請求項３】
ニップ領域を形成し、転写電圧が印加された転写部により画像が転写された媒体が当該ニップ領域を通過するときに当該媒体に当該画像を定着させる定着部と、
前記定着部の直前に配置されて前記定着部の手前の搬送路を形成する接地された金属板であって、当該搬送路側の面のうち前記ニップ領域側の端からの寸法が決められた長さ以下となる第１領域が当該搬送路に露出した金属板と、
前記金属板の前記面のうち前記第１領域とは異なる第２領域を覆い、且つ、前記金属板よりも導電率が低い低導電部材であって、自部材の前記ニップ領域側の端と繋がる間隙を有する低導電部材と
を備える定着ユニット。
【請求項４】
請求項１から３のいずれか１項に記載の定着ユニットと、
媒体を搬送する搬送部と、
像保持体に画像を形成する形成部と、
転写電圧が印加され、前記搬送部により搬送される媒体に前記形成部により前記像保持体に形成された画像を転写する転写部と
を備える画像形成装置。
【発明の詳細な説明】
【技術分野】
【０００１】
本発明は、定着ユニット及び画像形成装置に関する。
【背景技術】
【０００２】
特許文献１には、定着ニップへ向かう記録シートの搬送経路の近傍に配置された除電部材である金属板の端縁の全てと搬送経路との間に絶縁部材を配置させる技術が開示されている。
【先行技術文献】
【特許文献】
【０００３】
【特許文献１】特開２０１４−６３０１７号公報
【発明の概要】
【発明が解決しようとする課題】
【０００４】
定着部が形成するニップ領域に媒体が突入する際に媒体の先端の位置がニップ領域からずれていると、ニップ領域を形成するローラ等の部材に媒体が衝突してしわ等が生じる原因となる。媒体を正確な位置に誘導するためには、樹脂よりは金属のように硬い部材が用いられることが望ましいが、電波ノイズの発生を防ぐため金属板を接地させると、転写電圧により生じた電流が媒体に含まれる水分及びこの金属板を通して漏電し、転写不良を生じさせることがある。この転写不良は、媒体と金属板との接触面が大きく接触時間が長いほど生じやすくなる。
そこで、本発明は、定着部のニップ領域に媒体を正確に誘導しつつ、漏電による転写不良を抑制することを目的とする。
【課題を解決するための手段】
【０００５】
本発明の請求項１に係る定着ユニットは、ニップ領域を形成し、転写電圧が印加された転写部により画像が転写された媒体が当該ニップ領域を通過するときに当該媒体に当該画像を定着させる定着部と、前記定着部の直前に配置されて前記定着部の手前の搬送路を形成する接地された金属板であって、当該搬送路側の面のうち前記ニップ領域側の端からの寸法が決められた長さ以下となる第１領域が当該搬送路に露出した金属板と、前記金属板の前記面のうち前記第１領域とは異なる第２領域を覆い、且つ、前記金属板よりも導電率が低い低導電部材であって、前記ニップ領域側の端に前記金属板からの高さが当該ニップ領域に近づくほど低くなるテーパーを有する低導電部材とを備えることを特徴とする。
【０００７】
本発明の請求項２に係る定着ユニットは、請求項１に記載の構成において、前記テーパーは、前記媒体の搬送方向に交差する幅方向の位置によってテーパー角が変化することを特徴とする。
【０００８】
本発明の請求項３に係る定着ユニットは、ニップ領域を形成し、転写電圧が印加された転写部により画像が転写された媒体が当該ニップ領域を通過するときに当該媒体に当該画像を定着させる定着部と、前記定着部の直前に配置されて前記定着部の手前の搬送路を形成する接地された金属板であって、当該搬送路側の面のうち前記ニップ領域側の端からの寸法が決められた長さ以下となる第１領域が当該搬送路に露出した金属板と、前記金属板の前記面のうち前記第１領域とは異なる第２領域を覆い、且つ、前記金属板よりも導電率が低い低導電部材であって、自部材の前記ニップ領域側の端と繋がる間隙を有する低導電部材とを備えることを特徴とする。
【０００９】
本発明の請求項４に係る画像形成装置は、請求項１から３のいずれか１項に記載の定着ユニットと、媒体を搬送する搬送部と、像保持体に画像を形成する形成部と、転写電圧が印加され、前記搬送部により搬送される媒体に前記形成部により前記像保持体に形成された画像を転写する転写部とを備えることを特徴とする。
【発明の効果】
【００１０】
請求項１、４に係る発明によれば、定着部のニップ領域に媒体を正確に誘導しつつ、漏電による転写不良を抑制することができる。
請求項１に係る発明によれば、低導電部材がテーパーを有しない場合に比べて定着部のニップ領域に媒体をより正確に誘導することができる。
請求項２に係る発明によれば、テーパー角が一律である場合に比べて定着部のニップ領域に媒体をより正確に誘導することができる。
請求項３に係る発明によれば、低導電部材が間隙を有しない場合に比べて定着部のニップ領域に媒体をより正確に誘導することができる。
【図面の簡単な説明】
【００１１】
【図１】実施例に係る画像形成装置の構成を表す図
【図２】転写部及び定着ユニットの外観を表す図
【図３】転写部から定着部までの搬送路を表す図
【図４】金属板及び低導電部材を拡大して表す図
【図５】変形例の誘導部を拡大して表す図
【図６】誘導部の端における媒体の挙動の例を表す図
【図７】変形例の誘導部を表す図
【図８】変形例の他の誘導部の断面を表す図
【図９】変形例の誘導部を表す図
【発明を実施するための形態】
【００１２】
［１］実施例
図１は実施例に係る画像形成装置１の構成を表す。画像形成装置１は、電子写真方式で用紙等の媒体に画像を形成する装置である。画像形成装置１は、搬送部１０と、形成部２０と、転写部３０と、定着ユニット４０とを備える。搬送部１０は、複数のローラを有し、シート状の媒体を搬送する。形成部２０は、画像を保持する像保持体を有し、例えばイエロー（Ｙ）、マゼンタ（Ｍ）、シアン（Ｃ）、ブラック（Ｋ）の４色のトナーで形成した画像を像保持体（例えば中間転写ベルト）に形成する。
【００１３】
転写部３０は、搬送部１０により搬送される媒体に、形成部２０により像保持体に形成された画像を転写する。定着ユニット４０は、媒体に形成された画像をその媒体に定着させるユニットである。定着ユニット４０は、誘導部５０及び定着部６０を備える。誘導部５０は転写部３０から送られてくる媒体を定着部６０まで誘導する。定着部６０は誘導部５０により誘導されてきた媒体上の画像を加熱及び加圧して媒体に定着させる。
【００１４】
図２は転写部３０及び定着ユニット４０の外観を表す。転写部３０は、転写ロール３１及びバックアップロール３２を有する。転写ロール３１及びバックアップロール３２は、像保持体（中間転写ベルト）２１を挟んで互いに対向して設けられてニップ領域Ｎ３０を形成する。像保持体２１には形成部２０により画像が形成されて保持される。搬送部１０によって搬送されてきた媒体がニップ領域Ｎ３０において像保持体２１と接触する。転写ロール３１には、バックアップロール３２と電位差が生じるように電圧が印加され、この電圧により、像保持体２１に保持された画像が媒体に転写される。転写部３０は、媒体を搬送方向に搬送しながらその媒体への画像の転写を行う。
【００１５】
定着部６０は、定着ロール６１及び定着ベルト６２を有する。定着ロール６１及び定着ベルト６２は、互いに対向して設けられてニップ領域Ｎ６０を形成している。定着ロール６１は、表面が定着温度となるまで加熱され、ニップ領域Ｎ６０に搬送されてきた媒体に形成されている画像を加熱する。また、ニップ領域Ｎ６０では、定着ロール６１及び定着ベルト６２によって画像を媒体に押し付ける圧力が加えられる。こうして加熱及び加圧された画像は媒体に定着される。このように、定着部６０は、転写部３０により画像が転写された媒体がニップ領域Ｎ６０を通過するときにその媒体にその画像を定着させる。
【００１６】
図２には、搬送部１０が有する誘導部材１１が表されている。誘導部材１１及び誘導部５０は、転写部３０から定着部６０までの搬送路を形成する。
図３は転写部３０から定着部６０までの搬送路Ｒ１を表す。図３では、定着ロール６１の軸方向に見た転写部３０及び定着部６０が表されている。搬送路Ｒ１は、転写部３０のニップ領域Ｎ３０から定着部６０のニップ領域Ｎ６０まで続いており、誘導部材１１及び誘導部５０が搬送路Ｒ１の境界を形成している。図３では、搬送路Ｒ１を搬送される媒体Ｐ１が表されている。媒体Ｐ１は誘導部材１１及び誘導部５０と接触しながらその先端がニップ領域Ｎ６０に向けて誘導されている。
【００１７】
転写部３０及び定着部６０は、媒体Ｐ１の先端がニップ領域Ｎ６０に到達するときに媒体Ｐ１の後端がまだ転写部３０のニップ領域Ｎ３０から送り出されている状態となるように配置されている。媒体Ｐ１がニップ領域Ｎ６０に到達する前に転写部３０による送り出しが終わってしまうと、媒体Ｐ１の推進力がなくなりニップ領域Ｎ６０に到達しなくなるからである。また、搬送路Ｒ１には搬送部１０のローラも設けられていない。搬送路Ｒ１では媒体上の画像がまだ定着されていない状態であるから、ローラを設けるとそのローラに媒体が付着するおそれがあるからである。
【００１８】
誘導部５０は、金属板５１と、低導電部材５２とを有する。金属板５１は、矩形の板状に形成された金属（例えば鉄など）であり、電波ノイズの発生を防ぐため接地されて用いられる。つまり、金属板５１には接地可能な配線等が接続されている。金属板５１は、定着部６０の直前に配置されて定着部６０の手前の搬送路（すなわち搬送路Ｒ１）を形成する。つまり、金属板５１よりも定着部６０寄りには、搬送路Ｒ１を形成する部材は配置されておらず、金属板５１は、搬送路Ｒ１を形成する部材のうち最も定着部６０寄りに配置されている。また、金属板５１は、一方の面Ｓ５１が搬送路Ｒ１側を向くように配置されている。
【００１９】
低導電部材５２は、金属板５１よりも導電率が低いシート状の部材である。低導電部材５２の導電率は低いほどよく、本実施例ではＰＥＴ（Polyethylene terephthalate）フィルムが低導電部材５２として用いられる。低導電部材５２は、金属板５１の搬送路Ｒ１側の面Ｓ５１を覆って設けられている。ただし、低導電部材５２は、面Ｓ５１の全面を覆っているわけではない。面Ｓ５１のうち、低導電部材５２によって覆われた被覆領域と、低導電部材５２によって覆われずに搬送路Ｒ１に対して露出した露出領域について、図４を参照して説明する。
【００２０】
図４は金属板５１及び低導電部材５２を拡大して表す。図４（ａ）では搬送路Ｒ１側から見た誘導部５０と、媒体の搬送方向Ａ１及び搬送方向Ａ１に交差する（直交する）媒体の幅方向Ａ２とが表されている。図４（ｂ）では幅方向Ａ２に見た誘導部５０が表されている。金属板５１の面Ｓ５１においては、ニップ領域Ｎ６０側の先端Ｕ５１からの寸法が決められた長さ（図４ではＬ１）以下となる先端領域Ｔ５１が、低導電部材５２によって覆われていない領域、すなわち露出領域（搬送路Ｒ１に対して露出した領域）となっている。また、この先端領域Ｔ５１を除く非先端領域Ｔ５２が被覆領域、すなわち低導電部材５２によって覆われている領域となっている。本実施例では、先端領域Ｔ５１は、金属板５１の幅方向Ａ２の寸法Ｌ２の辺と前述の長さＬ１の辺とを有する長方形の領域である。
【００２１】
図３に戻る。金属板５１は、誘導部材１１によって誘導されてきた媒体の先端が低導電部材５２に衝突する位置に配置されている。このため、金属板５１には、低導電部材５２に衝突した媒体からの力が加わる。また、定着部６０は、媒体を引っ張ることがないように、転写部３０が媒体を搬送する速度よりも遅い速度で媒体を搬送する。このため、転写部３０及び定着部６０の両方が媒体を搬送している期間には、媒体が誘導部５０側にたわんで誘導部５０に押し付けられ、その押し付ける力が金属板５１に加わる。
【００２２】
金属板５１は、これらの力を受けても位置や向きが変化しないように固定されている。金属板５１は、本実施例では誘導部材１１に固定されている。なお、金属板５１が固定される場所はこれに限らず、例えば画像形成装置１の筐体に固定されていてもよい。このように、金属板５１は、転写部３０から送られてきた媒体から受ける力を受け止めてその媒体をニップ領域Ｎ６０に向けて誘導する。
【００２３】
誘導部５０は、上記のとおり、板状の金属板５１とその面Ｓ５１を覆うシート状の低導電部材５２（本実施例ではＰＥＴフィルム）によって媒体を誘導する。これに対し、例えばＰＥＴフィルムだけで媒体を誘導する場合、あまり薄くすると媒体から受ける力によって変形して誘導先がニップ領域Ｎ６０からずれてしまい、定着部の他の部分（図２の例だと定着ベルト６２）に衝突して媒体に折れやしわが生じるおそれがある。これを防ぐためにＰＥＴフィルムを厚くすると、筐体内の空間が狭くなって他の装置の配置の自由度が低くなる。本実施例ではニップ領域Ｎ６０に媒体を誘導する誘導部に金属板５１を用いることで、ＰＥＴフィルムだけを用いる場合よりも誘導部を薄くすることでき、他の装置の配置の自由度が高められる。
【００２４】
一方、金属板５１は、前述したように電波ノイズの発生を防ぐため接地されて用いられる。このように接地された金属板が搬送路を形成している場合、含水率が比較的高い媒体が送られてくると、転写部で印加されている電圧により媒体を通って金属板から地面に向けて電流が流れる、つまり漏電することがある。すると、漏電の影響で転写電圧が変動し、画像の一部が転写されずに像保持体に残ってしまう転写不良が発生するおそれが生じる。この漏電による転写不良は、媒体と金属板との接触面が大きく接触時間が長いほど生じやすくなる。
【００２５】
本実施例では、前述のとおり図４に表す非先端領域Ｔ５２が金属板５１よりも導電率が低い低導電部材５２で覆われており、先端領域Ｔ５１だけが搬送路Ｒ１に露出している。これにより、非先端領域Ｔ５２が低導電部材５２に覆われていない場合に比べて、媒体と金属板との接触面が小さく且つ接触時間も短くなる。また、媒体と低導電部材５２が接触しても、媒体と金属板５１が接触する場合に比べて電流が流れにくい。従って、本実施例によれば、非先端領域Ｔ５２が低導電部材５２に覆われていない場合に比べて、漏電による転写不良が抑制される。
【００２６】
また、定着部６０は熱を発するので、ニップ領域Ｎ６０に近づくほどその熱の影響でＰＥＴフィルムが柔らかくなり、変形しやすくなる。そのため、仮に面Ｓ５１の全面をＰＥＴフィルムで覆ってしまうと、ＰＥＴフィルムのニップ領域Ｎ６０側の端が定着部６０からの熱で柔らかくなって変形してしまう。そのため、ＰＥＴフィルムの端の部分の金属板５１からの高さが変化したりその部分が金属板５１の端からはみ出したりして、変形前に比べるとニップ領域Ｎ６０に媒体が正確に誘導されなくなる。
【００２７】
本実施例では、金属板５１のニップ領域Ｎ６０側の先端領域Ｔ５１が、低導電部材５２によって覆われていない、すなわち搬送路Ｒ１に露出している。そのため、誘導部５０のニップ領域Ｎ６０側の端（金属板５１の先端Ｕ５１）が定着部６０からの熱で柔らかくなることがなく、その位置や形状が保たれる。これにより、ＰＥＴフィルムのように熱で柔らかくなる部材が先端領域Ｔ５１の全面に設けられている場合に比べて、ニップ領域Ｎ６０に媒体が正確に誘導される。このように、本実施例によれば、定着部６０のニップ領域に媒体が正確に誘導されつつ、漏電による転写不良が抑制されることになる。
【００２８】
なお、露出領域が狭いほど漏電による転写不良が抑制されるが、露出領域が狭すぎると、媒体が金属板に接触しないで低導電部材にだけ接触して誘導されることが生じやすくなる。すると、低導電部材が定着部からの熱で柔らかくなることによる不正確な誘導が行われやすくなる。そこで、図４に表す先端領域Ｔ５１の長さＬ１は、例えば５ｍｍ以上１０ｍｍ以下となるように決められているとよい。これにより、長さＬ１がこの範囲にない場合に比べて、漏電による転写不良の抑制と、媒体の誘導の正確性とが両立しやすくなる。
【００２９】
［２］変形例
上述した実施例は本発明の実施の一例に過ぎず、以下のように変形させてもよい。また、実施例及び以下に示す各変形例は必要に応じて組み合わせて実施してもよい。
【００３０】
［２−１］低導電部材
低導電部材は、実施例で述べたＰＥＴフィルムに限らず、ＰＥＴ以外の樹脂のフィルムであってもよい。また、フィルムを金属板５１に貼り付けることで低導電部材が金属板５１を覆うようにしてもよいし、樹脂を金属板５１に塗布して乾燥させて固めることで低導電部材が金属板５１を覆うようにしてもよい。また、低導電部材であれば、樹脂の他にも、セラミックなどが用いられてもよい。ただし、低導電部材としては、媒体が衝突したときに先端が引っ掛からないように表面が平坦なものが望ましく、また、耐久性が高いものほど望ましい。
【００３１】
［２−２］低導電部材のテーパー
非導線部材の形状は実施例で述べたものに限らない。
図５は本変形例の誘導部５０ａを拡大して表す。誘導部５０ａは、金属板５１及び低導電部材５２ａを備える。低導電部材５２ａは、ニップ領域Ｎ６０側の端に金属板５１からの高さがニップ領域Ｎ６０に近づくほど低くなるテーパーＶ５２ａを有する。つまり、テーパーＶ５２ａは、低導電部材５２ａのニップ領域Ｎ６０側の端に設けられた、ニップ領域Ｎ６０に近づくほど厚さが薄くなる部分である。図４に表す誘導部５０と本変形例の誘導部５０ａとにおける媒体の挙動について図６を参照して説明する。
【００３２】
図６は誘導部の端における媒体の挙動の例を表す。図６（ａ）では誘導部５０により誘導される媒体Ｐ２が表され、図６（ｂ）では誘導部５０ａにより誘導される媒体Ｐ３が表されている。図６（ａ）の例では、媒体Ｐ２が、低導電部材５２のニップ領域Ｎ６０側の端部に接触し、金属板５１の先端Ｕ５１までの距離がＬ１２となる位置Ｗ２から先では誘導部５０から離れている。位置Ｗ２はこの例では低導電部材５２のニップ領域Ｎ６０側の端の位置である。従って、距離Ｌ１２は図４に表すＬ１となる。
【００３３】
これに対し、図６（ｂ）の例では、媒体Ｐ３が、低導電部材５２のテーパーＶ５２ａ及び金属板５１の面Ｓ５１に接触し、金属板５１の先端Ｕ５１までの距離がＬ１３となる位置Ｗ３から先では誘導部５０ａから離れている。位置Ｗ３は先端領域Ｔ５１上の位置であるため、Ｌ１３＜Ｌ１＝Ｌ１２となる。このように、誘導部５０ａは、低導電部材５２ａがテーパーＶ５２ａを有するため、誘導部５０に比べて、よりニップ領域Ｎ６０に近い位置まで媒体が接触しやすい。従って、本変形例によれば、低導電部材がテーパーを有しない場合に比べて、定着部６０のニップ領域Ｎ６０に媒体がより正確に誘導されることになる。
【００３４】
［２−３］テーパー角
図５の例では低導電部材が有するテーパーのテーパー角が一律であったが、これに限らない。このテーパーは、媒体の幅方向の位置によってテーパー角が変化してもよい。
図７は本変形例の誘導部５０ｂを表す。図７（ａ）では幅方向に見た誘導部５０ｂが表されている。誘導部５０ｂは、金属板５１と、ニップ領域Ｎ６０側にテーパーＶ５２ｂを有する低導電部材５２ｂとを備える。図７（ｂ）では、搬送路Ｒ１側から見た誘導部５０ｂが表されている。図７（ｂ）では、テーパーＶ５２ｂを切断する切断線Ｂ−Ｂが表されている。
【００３５】
図７（ｃ）では、誘導部５０ｂの切断線Ｂ−Ｂに沿った断面を表す。低導電部材５２ｂのテーパーＶ５２ｂは、幅方向Ａ２の中央が最も薄く、幅方向Ａ２の両端に近づくにつれて厚くなっている。このようにテーパーＶ５２ｂのテーパー角が変化していることにより、テーパーＶ５２ｂに接触した媒体にも幅方向Ａ２へのたわみが生じる。これより、低導電部材のテーパーのテーパー角が一律である場合に比べて、媒体に搬送方向Ａ１のたわみが生じにくくなり、定着部６０のニップ領域Ｎ６０に媒体がより正確に誘導されることになる。
【００３６】
図８は本変形例の他の誘導部の断面を表す。図８（ａ）では、幅方向Ａ２の中央が最も厚く、幅方向Ａ２の両端に近づくにつれて薄くなるテーパーＶ５２ｃが表されている。図８（ｂ）では、幅方向Ａ２の中央を境とした両端側に、それぞれ中央が薄くなったテーパーＶ５２ｃが表されている。このように、媒体の幅方向の位置によってテーパー角が変化していれば、媒体に幅方向Ａ２のたわみが生じるので、図７の例のように、低導電部材のテーパーのテーパー角が一律である場合に比べて、定着部６０のニップ領域Ｎ６０に媒体がより正確に誘導されることになる。
【００３７】
［２−４］低導電部材の間隙
低導電部材には間隙が設けられていてもよい。
図９は本変形例の誘導部５０ｅを表す。誘導部５０ｅは、金属板５１ｅ及び低導電部材５２ｅを備える。低導電部材５２ｅは、自部材のニップ領域Ｎ６０側の端と繋がる間隙Ｑ５２ｅ（この例では４つの間隙Ｑ５２ｅ）を有する。
【００３８】
図９の例では、媒体が低導電部材５２ｅに接触すると、間隙Ｑ５２ｅのところで幅方向Ａ２へのたわみが生じる。これにより、図７の例のように、低導電部材が間隙を有しない場合に比べて、媒体に搬送方向Ａ１のたわみが生じにくくなり、定着部６０のニップ領域Ｎ６０に媒体がより正確に誘導されることになる。また、仮に間隙のニップ領域Ｎ６０側に低導電部材が配置されていたら、間隙でたわんだ媒体がその先の低導電部材に引っ掛かり、折れやしわが生じるおそれがある。本変形例では、間隙Ｑ５２ｅが低導電部材５２ｅのニップ領域Ｎ６０側の端と繋がっているので、媒体が低導電部材に引っ掛かることによる折れやしわの発生が防がれる。
【００３９】
［２−５］第１領域及び第２領域
実施例では、図４に表すように先端領域Ｔ５１だけが露出領域となっていたが、これに限らない。例えば図９に表す誘導部５０ｅにおいては、先端領域Ｔ５１ｅ、すなわち金属板５１ｅの先端Ｕ５１ｅからの寸法がＬ１以下となる領域に加えて間隙Ｑ５２ｅと重なった領域が露出領域となっている。つまり、金属板は、先端領域が搬送路に対して露出していればよく、先端領域以外の領域も露出していてもよい。また、言い方を変えると、金属板は、必ず先端領域が搬送路に対して露出していなければならない（つまりＬ１＞０ということ）。それにより、実施例で述べたように、誘導部のニップ領域Ｎ６０側の端（金属板５１の先端）が定着部６０からの熱で柔らかくなることがなく、その位置や形状が保たれることになる。
【００４０】
また、低導電部材は、先端領域を除く領域（例えば図４の例における非先端領域Ｔ５２）の全てを覆っているものに限らず、先端領域を第１領域とした場合に、その第１領域とは異なる第２領域を覆っているものであればよい。つまり、第２領域とは、金属板の搬送路側を向いた面のうち非導電部材により覆われた被覆領域のことを意味する。図９の例であれば、金属板５１ｅの面Ｓ５１ｅの先端領域Ｔ５１ｅを除く非先端領域Ｔ５２ｅのうち、間隙Ｑ５２ｅと重なる領域を除いた領域が第２領域となる。その場合でも、実施例で述べた理由により、定着部６０のニップ領域に媒体が正確に誘導されつつ、漏電による転写不良が抑制されることになる。
【符号の説明】
【００４１】
１…画像形成装置、１０…搬送部、２０…形成部、３０…転写部、４０…定着ユニット、５０…誘導部、５１…金属板、５２…低導電部材、Ｔ５１…先端領域、Ｖ５２ａ…テーパー、Ｑ５２ｅ…間隙、６０…定着部、３１…転写ロール、３２…バックアップロール、６１…定着ロール、６２…定着ベルト
【図１】
0006500539.tif 000002
【図２】
0006500539.tif 000003
【図３】
0006500539.tif 000004
【図４】
0006500539.tif 000005
【図５】
0006500539.tif 000006
【図６】
0006500539.tif 000007
【図７】
0006500539.tif 000008
【図８】
0006500539.tif 000009
【図９】
0006500539.tif 000010